【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
ユーザーの検索セッション中の前記ユーザーの検索履歴に関連する情報を含むユーザーインタフェースを、前記セッション中に提供するための方法を実行するためのマシン使用可能命令が実体化されている１つまたは複数のコンピューター可読記憶媒体であって、
前記方法は、
前記ユーザーを一意識別子に関連付けるステップを含む、前記ユーザーに関連付けられた検索セッションをインスタンス化するステップと、
少なくとも１つの検索用語を備える、前記ユーザーによって定義された第１の検索クエリーを受け取るステップと、
前記一意識別子に関連付けられたレコードを備えるセッションログの中に前記第１の検索クエリーの表現を作成するステップと、
前記第１の検索クエリーを受け取ったことに応答して検索結果の第１のセットを取得するステップと、
前記セッションログを参照するステップと、
前記レコードが、前記ユーザーによって定義された第２の検索クエリーの少なくとも１つの第１の表現と、前記第２の検索クエリーに応答して以前に戻された、前記ユーザーによって選択された第２の検索結果の少なくとも１つの第１の表現とを備える、前記一意識別子に関連付けられた履歴情報を含むかどうかを判定するステップと、
検索結果の前記第１のセットと、セッショントラッカーモジュールとを備える検索結果ページを同時に提供するステップであって、前記レコードが、前記一意識別子に関連付けられた履歴情報を含む場合、前記ユーザーによって定義された前記第２の検索クエリーの前記第１の表現と、前記第２の検索結果の前記第１の表現を表示するための選択可能なオプションとを前記セッショントラッカーモジュール内に表示するステップを含む、ステップ、とを含む、コンピューター可読記憶媒体。
【請求項２】
前記レコードが履歴情報を含まない場合、前記検索結果ページを表示するステップは、検索結果の前記第１のセットと、空白のセッショントラッカーモジュールとを備える前記検索結果ページを表示するステップを含む請求項１に記載の媒体。
【請求項３】
前記ユーザーに関連付けられた検索セッションをインスタンス化するステップは、開始時刻から終了時刻までの間の期間によって定義される前記検索セッションの前記開始時刻を確立するステップを含む請求項１に記載の媒体。
【請求項４】
前記ユーザーは、コンピューティングデバイスを介して通信する認証されていないユーザーである請求項３に記載の媒体。
【請求項５】
前記一意識別子は、前記コンピューティングデバイスに対応するマシン識別子に関連付けられる請求項４に記載の媒体。
【請求項６】
ユーザーの検索セッション中の前記ユーザーの検索履歴に関連する情報を含むユーザーインタフェースを、前記セッション中に提供するための方法を実行するためのマシン使用可能命令が実体化されている１つまたは複数のコンピューター可読記憶媒体であって、
前記方法は、
前記ユーザーに関連付けられた検索セッション中に複数のユーザー定義の検索クエリーを受け取るステップと、
前記複数のユーザー定義の検索クエリーの１つに応答して提供された少なくとも１つのコンテンツリンクを各セットが備える検索結果の複数のセットを前記ユーザーに提供するステップと、
検索結果の前記少なくとも１つのセットに関連付けられた前記少なくとも１つのコンテンツリンクを前記ユーザーが選択したことを示す情報をそれぞれが備える、検索結果の前記複数のセットの少なくとも１つに対応する選択指示を前記ユーザーから受け取るステップと、
前記複数のクエリー、検索結果の前記複数のセット、および前記選択指示のそれぞれのタイムスタンプを押されたデータ表現を備える、前記ユーザーに関連付けられた前記検索セッションに対応する履歴情報を記録するステップと、
前記ユーザーに関連する前記履歴情報の少なくとも一部分の視覚的表現を表示するステップを含む、検索結果ページ上で前記ユーザーにセッショントラッカーモジュールを提供するステップであって、さらに前記セッショントラッカーモジュールは、前記検索結果ページ上において検索結果の前記複数のセットのうちの少なくとも１つと同じ閲覧可能エリアに表示される、ステップと、
前記対応するクエリーに応答して提供された検索結果の前記セットに対応する、受け取られた選択指示の数をそれぞれが示す、前記視覚的表現の１つにそれぞれが対応する複数の数を前記セッショントラッカーモジュールにおいて表示するステップと、
を含む、コンピューター可読記憶媒体。
【請求項７】
前記履歴情報の少なくとも一部分の視覚的表現を表示するステップは、前記複数のクエリーの所定の数の視覚的表現を表示するステップを含む請求項６に記載の媒体。
【請求項８】
前記対応するクエリーに応答して提供された検索結果の前記セットに対応する、受け取られた前記選択指示の視覚的表現を表示させるように適合されたトグルを備える、前記複数の数にそれぞれ関連付けられた選択可能なオプションを表示するステップをさらに含む請求項７に記載の媒体。
【請求項９】
ユーザーの検索セッション中の前記ユーザーの検索履歴に関連する情報を含むユーザーインタフェースを、前記セッション中に提供するための方法を実行するためのマシン使用可能命令が実体化されている１つまたは複数のコンピューター可読記憶媒体であって、
前記方法は、
少なくとも１つの第１の検索用語を備える第１のユーザー定義の検索クエリーを受け取るステップと、
前記第１のユーザー定義の検索クエリーのタイムスタンプを押されたデータ表現を第１の履歴レコードの中に記録するステップと、
前記履歴レコードをデータベースの中に格納するステップと、
前記第１のユーザー定義の検索クエリーに関係がある該当するコンテンツサイトにそれぞれが対応する複数の選択可能なコンテンツ表現を備え、前記表現のうちの１つの表現の選択により、前記該当するコンテンツサイトをターゲットにする関連付けられたＵＲＬ（ユニフォームリソースロケーター）に応じて自動的に移動する、検索結果の第１のセットを、前記第１のユーザー定義の検索クエリーを受け取ったことに応答して提供するステップと、
各ＵＲＬのタイムスタンプを押されたデータ表現を記録するステップと、
第１の該当するコンテンツサイトに対応する前記複数の選択可能な表現の第１の表現を前記ユーザーが選択したことを示す第１の選択指示を受け取るステップと、
前記第１の選択指示のタイムスタンプを押されたデータ表現を記録するステップと、
少なくとも１つの第２の検索用語を備える第２のユーザー定義のクエリーを受け取るステップと、
前記第２のユーザー定義のクエリーを受け取ったことに応答して表示された検索結果の第２のセットを備え、前記第１のユーザー定義の検索クエリーの選択可能な表現をさらに備える検索結果ページを提供するステップと、
前記第１の選択指示が受け取られたことを示す選択可能な数を提供するステップであって、前記選択可能な数の選択により、前記第１の該当するコンテンツサイトの選択可能な表現を表示させる、ステップと、
を含む、コンピューター可読記憶媒体。
【請求項１０】
前記第１のユーザー定義の検索クエリーを受け取ったことに応答してセッション識別子を前記ユーザーに関連付けるステップをさらに含む請求項９に記載の媒体。
【請求項１１】
第２の該当するコンテンツサイトに対応する前記複数の選択可能な表現の第２の表現を前記ユーザーが選択していることを示す第２の選択指示を受け取るステップと、
前記第２の選択指示のタイムスタンプを押されたデータ表現を記録するステップとをさらに含む請求項９に記載の媒体。
【請求項１２】
前記検索結果ページは、前記第２の選択指示が受け取られたことを示す選択可能な数をさらに備え、前記選択可能な数の選択により、前記第２の該当するコンテンツサイトの選択可能な表現を表示させる請求項１１に記載の媒体。
【請求項１３】
前記第１の該当するコンテンツサイトおよび前記第２の該当するコンテンツサイトの前記第１の表現および前記第２の表現のそれぞれは、前記第１の該当するコンテンツサイトおよび前記第２の該当するコンテンツサイトの前記選択可能な表現の１つの表現の選択により、前記関連付けられた該当するコンテンツサイトへ自動的に移動するように、前記関連付けられたＵＲＬに対応する請求項１２に記載の媒体。
【請求項１４】
前記検索結果ページは、前記タイムスタンプを押された表現を選択的に記録させるための選択可能なトグルオプションをさらに備える請求項９に記載の媒体。